(57)【要約】【課題】  音響構造体において吸音効果および散乱効果の得られる音波の到来方向の範囲を拡げる。【解決手段】  管体部１０は、一対の中空円筒状の管体１１および１２を有する。管体１１は、開口端１１ａおよび閉塞端１１ｂを有し、管体１２は、開口端１２ａおよび閉塞端１２ｂを有する。そして、管体１１および１２は、開口領域Ｇを挟んで各々の開口端１１ａおよび１２ａを対向させている。この構成によれば、管体部１０の軸を直交する平面内のあらゆる方角から開口領域Ｇに到来する音波に対して吸音効果および散乱効果を発生させることができる。【選択図】図１
2015184524.tif 000002
【特許請求の範囲】
【請求項１】
各々開口部を有する１対の音響共鳴器を有し、各音響共鳴器の開口部同士を共通の開口領域を挟んで対向させてなることを特徴とする音響構造体。
【請求項２】
前記１対の音響共鳴器は各々管体であることを特徴とする請求項１に記載の音響構造体。
【請求項３】
前記１対の音響共鳴器の相対位置を保持する機構を有することを特徴とする請求項１または２に記載の音響構造体。
【請求項４】
前記開口領域に音響抵抗材を配したことを特徴とする請求項１〜３のいずれか１の請求項に記載の音響構造体。
【発明の詳細な説明】
【技術分野】
【０００１】
この発明は、音響空間の音響特性の調整に用いられる音響構造体に関する。
【背景技術】
【０００２】
フラッタエコー等、音響空間において生じる音響障害を防止するための手段として、パネル状の音響構造体が知られている。図９は従来の音響構造体の構成例を示す斜視図である。この音響構造体は、各々直方体形状をなし、両端が閉塞端となった複数の中空の管体１を平板状に並べてなるものである。この音響構造体において、パネル表面２をなす各管体１の側面に開口部３が各々設けられている。この開口部３から管体１の閉塞端４までの領域が共鳴管として機能する。音響空間内において、この共鳴管の共鳴周波数と同じ周波数の音波が管体１の開口部３に入射すると、開口部３の近傍において共鳴周波数の音波の吸音と散乱が生じ、音響障害が防止される。なお、この種の音響構造体は例えば特許文献１に開示されている。
【先行技術文献】
【特許文献】
【０００３】
【特許文献１】特開２０１０−８４５０９号公報
【発明の概要】
【発明が解決しようとする課題】
【０００４】
ところで、上述した音響構造体は、パネル表面の表面または裏面にしか開口部が設けられていなかったので、これらの各面から入射する音波に対してしか吸音効果および散乱効果を発生させることができないという問題があった。
【０００５】
この発明は、このような課題に鑑みてなされたものであり、音響構造体において吸音効果および散乱効果の得られる音波の到来方向の範囲を拡げる技術的手段を提供することを目的とする。
【課題を解決するための手段】
【０００６】
この発明は、各々開口部を有する１対の音響共鳴器を有し、各音響共鳴器の開口部同士を共通の開口領域を挟んで対向させてなることを特徴とする音響構造体を提供する。
【０００７】
この発明によれば、１対の音響共鳴器の各々の共鳴周波数を有する各音波が開口領域に入射すると、各音波は、１対の音響共鳴器の各開口部を介して各音響共鳴器に入射し、各音響共鳴器が入射音に共鳴する。この結果、開口領域またはその近傍において、各音響共鳴器の共鳴周波数を有する音波について吸音効果と散乱効果が発生する。この場合において、開口領域の周囲のあらゆる方角から到来する音波が開口領域を介して１対の音響共鳴器に入射し得る。従って、開口領域の周囲のあらゆる方角から到来する音波について吸音効果および散乱効果を発生させることができる。
【図面の簡単な説明】
【０００８】
【図１】この発明の第１実施形態である音響構造体の構成を示す斜視図および縦断面図である。
【図２】同実施形態における一対の管体の支持構造の例を示す図である。
【図３】同実施形態における一対の管体の支持構造の他の例を示す図である。
【図４】この発明の第２実施形態である音響構造体の構成を示す斜視図である。
【図５】この発明の第３実施形態である音響構造体の例を示す斜視図である。
【図６】同音響構造体の他の例を示す斜視図である。
【図７】同音響構造体の他の例を示す斜視図である。
【図８】この発明の他の実施形態である音響構造体の例を示す斜視図である。
【図９】従来の音響構造体の構成を示す斜視図である。
【発明を実施するための形態】
【０００９】
以下、図面を参照し、この発明の実施の形態を説明する。
【００１０】
＜第１実施形態＞
図１（ａ）および（ｂ）はこの発明の第１実施形態である音響構造体の構成を示す斜視図および縦断面図である。この音響構造体は、２本の管体１１および１２からなる管体部１０により構成されている。ここで、管体１１は、開口端１１ａおよび閉塞端１１ｂを有する中空の円筒管である。同様に、管体１２は、開口端１２ａおよび閉塞端１２ｂを有する中空の円筒管である。そして、管体１１および１２は、開口領域Ｇを挟んで各々の開口端１１ａおよび１２ａを対向させている。図示の例において、開口領域Ｇは何も設けられていない空虚な領域であるが、音響的に透明な開口領域Ｇを実現することができるのであれば、何らかの部材を開口領域Ｇに設けてもよい。
【００１１】
管体１１の閉塞端１１ｂから開口領域Ｇの中央までの距離をＬ１とすると、管体１１内の中空領域は、λ１＝４Ｌ１／ｎ（ｎは奇数）の波長の音に共鳴する共鳴器として機能する。また、管体１２の閉塞端１２ｂから開口領域Ｇの中央までの距離をＬ２とすると、管体１２内の中空領域は、λ２＝４Ｌ２／ｎ（ｎは奇数）の波長の音に共鳴する音響共鳴器として機能する。このように本実施形態による音響構造体は、開口領域Ｇを挟んで１対の音響共鳴器の開口端を対向させたものである。
【００１２】
本実施形態において、音響空間において発生した波長λ１またはλ２を有する音波が管体１１および１２間の開口領域Ｇに到来すると、管体１１または１２内の中空領域がこの音波に共鳴し、間隙Ｇの近傍において吸音効果および散乱効果が発生する。この吸音効果および散乱効果は、管体１１および１２の管軸に直交する平面内のあらゆる方角から開口領域Ｇに到来する音波に対して発生する。
【００１３】
一対の管体１１の開口端１１ａおよび管体１２の開口端１２ａを対向させた姿勢を維持するための構成には各種の態様が考えられる。図２（ａ）〜（ｃ）に示す各例では、管体１１および１２間の開口領域Ｇに連結部材が挿入されており、管体１１および１２は、この連結部材の作用により、開口端１１ａおよび１２ａを対向させている。
【００１４】
さらに詳述すると、図２（ａ）に示す例では、管体１１における開口端１１ａの周辺領域（あるいは縁）と管体１２における開口端１２ａの周辺領域（あるいは縁）とが細長い複数本の連結部材１３ａにより接続されている。この連結部材１３ａは、紐のように変形自在な部材であってもよいし、固い棒状の部材であってもよい。例えば管体１１を天井から吊るすことにより管体１１および１２を音響空間に設置するような場合には、連結部材１３ａは紐のようなものでよい。この場合、管体１１が連結部材１３ａを介して管体１２を支持し、開口端１２ａを開口端１１ａに対向させる。それ以外の場合には、固い棒状の部材からなる連結部材１３ａの両端を管体１１および１２に固定するのが好ましい。この場合、管体１１および１２は、連結部材１３ａを介して互いに相手を支持し、開口端１１ａおよび１２ａを対向させる。図２（ａ）に示す態様によれば、開口領域Ｇには、細長い連結部材１３ａしかないので、開口領域Ｇの音響的な透明性を十分に高くすることができる。従って、管体１１および１２の中心軸に直交する平面内のあらゆる方角から到来する所定波長の音波について吸音効果および散乱効果を発生させることができる。
【００１５】
図２（ｂ）に示す例では、十分に目の粗い網状の側面を有する中空円筒形状の連結部材１３ｂが開口領域Ｇに設けられており、この連結部材１３ｂにより管体１１の開口端１１ａと管体１２の開口端１２ａとが互いに接続されている。この態様においても、管体１１および１２は、連結部材１３ｂを介して互いに相手を支持し、開口端１１ａおよび１２ａを対向させる。この態様によれば、開口領域Ｇは十分に目の粗い網によって覆われているので、開口領域Ｇの音響的な透明性を十分に高くすることができる。従って、図２（ａ）に示す態様と同様な効果が得られる。
【００１６】
図２（ｃ）に示す例では、音響抵抗材、具体的には多孔性部材からなる側面に囲まれた中空円筒形状の連結部材１３ｃが開口領域Ｇに設けられており、この連結部材１３ｃにより管体１１の開口端１１ａと管体１２の開口端１２ａとが互いに接続されている。この態様においても、図２（ｂ）に示す態様と同様な効果が得られる。また、この態様によれば、開口領域Ｇに多孔性部材を配することにより、音響共鳴器である管体１１および１２の音響効果を適切に調整することができるという効果が得られる。
【００１７】
図３（ａ）〜（ｆ）に示す各例では、開口領域Ｇに挿入される連結部材以外の手段により管体１１および１２が支持され、管体１１および１２は、開口端１１ａおよび１２ａを対向させている。
【００１８】
さらに詳述すると、図３（ａ）に示す例において、連結部材１４ａは、管体１１を内部に収容した状態で管体１１に固定された収容部材１４ａ１と、管体１２を内部に収容した状態で管体１２に固定された収容部材１４ａ２と、収容部材１４ａ１および１４ａ２とを連結する棒状部材１４ａ３とからなる。管体１１および１２は、連結部材１４ａを介して互いに相手を支持し、各々の開口端１１ａおよび１２ａを対向させている。この態様において、開口領域Ｇは、何もない空虚な領域となっており、音響的な透明性の高い領域となっている。従って、管体１１および１２の中心軸に直交する平面内のあらゆる方角から到来する所定波長の音波について吸音効果および散乱効果を発生させることができる。
【００１９】
図３（ｂ）に示す例において、細長い連結部材１４ｂは、一端が管体１１の閉塞端１１ｂの中央に固定され、他端が管体１２の閉塞端１２ｂの中央に固定されている。この連結部材１４ｂは、紐のように変形自在な部材であってもよいし、固い棒状の部材であってもよい。例えば管体１１を天井から吊るすことにより管体１１および１２を音響空間に設置するような場合には、連結部材１４ｂは紐のようなものでよい。この態様においても、管体１１の開口端１１ａおよび管体１２の開口端１２ａの相対位置を保持することができる。また、この態様において、開口領域Ｇは、細長い棒状の連結部材１４ｂしか存在せず、音響的な透明性の高い領域となっている。従って、この態様によれば、図３（ａ）に示す態様と同様な効果が得られる。
【００２０】
図３（ｃ）に示す例において、管体１１および１２は、中空円筒体１４ｃ内に収容されている。ここで、管体１１の閉塞端１１ｂは中空円筒体１４ｃの一端に固定され、管体１２の閉塞端１２ｂは中空円筒体１４ｃの他端に固定されており、管体１１の開口端１１ａおよび管体１２の開口端１２ａは、開口領域Ｇを挟んで対向している。そして、中空円筒体１４ｃには、開口領域Ｇを外部空間に連通させる孔１４１が中空円筒体１４ｃの軸廻りの円周方向に沿って複数形成されている。この態様において、開口領域Ｇは、複数の孔１４１を介して外部空間と連通しており、音響的な透明性の高い領域となっている。従って、この態様によれば、図３（ａ）に示す態様と同様な効果が得られる。
【００２１】
図３（ｄ）に示す例において、管体１１および１２は、開口端１１ａおよび１２ａを対向させた状態で各々の側面が壁に固定されている。この態様によれば、壁のある方角を除き、あらゆる方角から開口領域Ｇに音波が到達する。従って、この態様においても、図３（ａ）に示す態様と同様な効果が得られる。
【００２２】
図３（ｅ）に示す例において、管体１１の閉塞端１１ｂは天井に、管体１２の閉塞端１２ｂは床に固定されており、開口端１１ａおよび開口端１２ａは開口領域Ｇを挟んで対向している。この態様において、開口領域Ｇは、何もない空虚な領域となっており、音響的な透明性の高い領域となっている。従って、この態様によれば、図３（ａ）に示す態様と同様な効果が得られる。
【００２３】
図３（ｆ）に示す例において、支持体１４ｄは、長方形状の枠１４ｄ１と、管体１１および１２の各々を枠１４ｄ１に固定する棒状部材１４ｄ２とにより構成されている。この支持体１４ｄにより支持されることにより、管体１１および１２は、各々の開口端１１ａおよび１２ａを開口領域Ｇを挟んで対向させている。この態様においても、図３（ａ）に示す態様と同様な効果が得られる。
【００２４】
＜第２実施形態＞
図４（ａ）〜（ｄ）は、この発明の第２実施形態である音響構造体の構成を示す斜視図である。本実施形態による音響構造体は、開口端同士を対向させた一対の管体からなる管体部を管軸と直交する方向に複数対並べた構成となっている。
【００２５】
図４（ａ）に示す例において、音響構造体は、管体１１＿１および１２＿１の対からなる管体部１０＿１と、管体１１＿２および１２＿２の対からなる管体部１０＿２と、管体１１＿３および１２＿３の対からなる管体部１０＿３とを有する。連結部材１５は、管体１１＿ｉ（ｉ＝１〜３）を収容して内部に固定する収容部材１５ａ＿ｉ（ｉ＝１〜３）と、管体１２＿ｉ（ｉ＝１〜３）を収容して内部に固定する収容部材１５ｂ＿ｉ（ｉ＝１〜３）と、収容部材１５ａ＿ｉ（ｉ＝１〜３）と収容部材１５ｂ＿ｉ（ｉ＝１〜３）の隣り合うもの同士を連結する棒状部材１５ｃ＿ｊ（ｊ＝１〜６）とを有する。この連結部材１５は、固い棒状の素材により構成されている。この連結部材１５により支持されることにより、各管体部１０＿ｉ（ｉ＝１〜３）は、各々の開口端１１ａ＿ｉおよび１２ａ＿ｉ（ｉ＝１〜３）を開口領域Ｇ＿ｉ（ｉ＝１〜３）を挟んで対向させている。
【００２６】
この態様によれば、各管体部１０＿ｉ（ｉ＝１〜３）間で、管体１１＿ｉ（ｉ＝１〜３）の管長と、管体１２＿ｉ（ｉ＝１〜３）の管長の組み合わせを異ならせることにより、管体毎に共鳴周波数を異ならせ、多くの種類の共鳴周波数において吸音効果および散乱効果を発生させることが可能になる。
【００２７】
また、この態様において、管体１１＿１および１２＿１と管体１１＿２および１２＿２との間には棒状部材１５ｃ＿２および１５ｃ＿６が各々介挿され、管体１１＿２および１２＿２と管体１１＿３および１２＿３との間には棒状部材１５ｃ＿３および１５ｃ＿５が各々介挿されており、管体部１０＿ｉ（ｉ＝１〜３）は互いに離間している。そして、開口領域Ｇ＿ｉ（ｉ＝１〜３）は、何もない空虚な領域となっており、音響的な透明性の高い領域となっている。従って、この音響構造体によれば、管体部１０＿ｉ（ｉ＝１〜３）の中心軸に直交する平面内のあらゆる方角から到来する多くの種類の周波数の音波について吸音効果および散乱効果を発生させることができる。
【００２８】
図４（ｂ）に示す音響構造体も、図４（ａ）に示すものと同様な管体部１０＿ｉ（ｉ＝１〜３）を有する。そして、この音響構造体は、支持体１６を有する。この支持体１６は、長方形状の枠１６ａと、管体１１＿ｉ（ｉ＝１〜３）および管体１２＿ｉ（ｉ＝１〜３）の各々を枠１６ａに固定する棒状部材１６ｂとにより構成されている。この支持体１６により支持されることにより、各管体部１０＿ｉ（ｉ＝１〜３）は、各々の開口端１１ａ＿ｉおよび１２ａ＿ｉ（ｉ＝１〜３）を開口領域Ｇ＿ｉ（ｉ＝１〜３）を挟んで対向させている。この態様においても、図４（ａ）に示す態様と同様な効果が得られる。また、この音響構造体では、管体部１０＿ｉ（ｉ＝１〜３）が長方形状の枠１６ａに固定されているので、例えば枠１６ａの下辺を敷居溝に挿入し、上辺を鴨居溝に挿入し、襖のように家屋に設置することができる。あるいはこの音響構造体を部屋間を仕切る壁の窓等に装着してもよい。
【００２９】
図４（ｃ）に示す音響構造体は、図４（ａ）に示すものと同様な管体部１０＿ｉ（ｉ＝１〜４）を有している。管体部１０＿ｉ（ｉ＝１〜４）は、各々の軸を平行に保った状態で並んでいる。管体部１０＿ｉ（ｉ＝１〜４）の各管体は、隣接する管体と接着剤による接着、溶接等の接着手段により接着されている。そして、図４（ａ）に示すものと同様、各管体部１０＿ｉ（ｉ＝１〜４）は、各々の開口端１１ａ＿ｉおよび１２ａ＿ｉ（ｉ＝１〜４）を開口領域Ｇ＿ｉ（ｉ＝１〜４）を挟んで対向させている。
【００３０】
この態様において、開口領域Ｇ＿ｉ（ｉ＝１〜４）は、各々の側方にある管体が音波の到来を邪魔するが、この管体のある方角を除くあらゆる方角から開口領域Ｇ＿ｉ（ｉ＝１〜４）に音波が到来し得る。従って、この音響構造体によれば、広い角度範囲の方角から到来する多くの種類の周波数の音波について吸音効果および散乱効果を発生させることができる。
【００３１】
図４（ｄ）に示す音響構造体においても、管体部１０＿ｉ（ｉ＝１〜４）は、各々の軸を平行に保った状態で並んでいる。そして、管体部１０＿ｉ（ｉ＝１〜４）において、横方向に互いに隣接する管体（例えば管体１１＿１および１１＿２）は、ヒンジ１７により連結されている。この態様においても、図４（ｃ）に示す態様と同様な効果が得られる。また、この態様では、管体部１０＿ｉ（ｉ＝１〜４）の各間にヒンジ１７が介在しているので、隣接する２つの管体部１０＿ｉ（すなわち、管体部１０＿１と１０＿２、１０＿２と１０＿３、１０＿３と１０＿４）の一方が他方に対して回転することができ、音響構造体が全体として撓むことができる。従って、音響構造体の音響空間に設置する際の姿勢を柔軟に変化させることができる。
【００３２】
＜第３実施形態＞
この発明の第３実施形態は、音響構造体の音響空間への設置態様に関する実施形態である。図５に示す例において、管体部１０は、例えば図１（ａ）、（ｂ）、図２（ａ）〜（ｃ）に示すような管体部である。この例では、管体部１０における上の管体１１の閉塞端１１ｂにＵ字金具１８ａが固定されており、このＵ字金具１８ａが天井に固定されたフック１８ｂに引っ掛けられることにより管体部１０が支持されている。この音響構造体は、居住空間内に容易に設置することができるという利点がある。
【００３３】
図６に示す例においても、管体部１０＿ｉ（ｉ＝１〜４）における上の管体１１＿ｉ（ｉ＝１〜４）の閉塞端１１ｂ＿ｉ（ｉ＝１〜４）にＵ字金具１８ａが固定されている。これらのＵ字金具１８ａは、カーテンレール１８ｄに摺動自在に装着されたフック１８ｃに引っ掛けられており、これにより管体部１０＿ｉ（ｉ＝１〜４）が支持されている。この態様によれば、上記第２実施形態と同様な効果が得られる。また、この態様によれば、管体部１０＿ｉ（ｉ＝１〜４）を簡単にスライドさせることができるので、不要なときに管体部１０＿ｉ（ｉ＝１〜４）を移動させたり、あるいは音響空間内の音源の位置等に合わせて管体部１０＿ｉ（ｉ＝１〜４）を移動させることができ、音響構造体の利便性を高めることができる。
【００３４】
図７に示す例は、図６に示す例に変形を加えたものである。図７において、天秤部１９＿ｋ（ｋ＝１、２、…）の左右両端には、管体部１０＿２ｋ−１および１０＿２ｋ（ｋ＝１、２、…）が各々吊り下られている。これらの天秤部１９＿ｋ（ｋ＝１、２、…）は、中央に丸金具１９ａが各々取り付けられており、この丸金具１９ａを支点として搖動可能である。そして、天秤部１９＿ｋ（ｋ＝１、２、…）に取り付けられた各丸金具１９ａは、カーテンレール１８ｄに摺動自在に装着されたフック１８ｃに各々引っ掛けられている。また、隣接した天秤部（例えば天秤部１９＿１と１９＿２、１９＿２と１９＿３）は、柔軟な紐状の連結部材１９ｂにより互いに接続されている。この態様においても、図６に示す態様と同様な効果が得られる。また、この図７に示す態様によれば、天秤部１９＿ｋ（ｋ＝１、２、…）が柔軟な紐状の連結部材１９ｂにより接続されているので、天秤部１９＿ｋ（ｋ＝１、２、…）を傾かせて各天秤部の両端に吊るされた管体部を接近させることができる。従って、管体部１０＿２ｋ−１および１０＿２ｋ（ｋ＝１、２、…）を窓の手前のカーテンレールに吊るした場合において、管体部１０＿２ｋ−１および１０＿２ｋ（ｋ＝１、２、…）をカーテンのように窓の端に寄せて窓を露出させることできる。また、この音響構造体は、天秤部１９＿ｋ（ｋ＝１、２、…）の左右両端に管体部１０＿２ｋ−１および１０＿２ｋ（ｋ＝１、２、…）を各々吊り下げた構成となっているので、意匠性に富んだインテリアとして使用することができる。
【００３５】
＜他の実施形態＞
以上、この発明の各種の実施形態について説明したが、この発明には他にも実施形態が考えられる。例えば上記各実施形態では、一対の管体により管体部を構成したが、１本の管体の側面に開口領域を形成したものを管体部としてもよい。図８（ａ）〜（ｃ）は、その構成例を示すものである。これらの各構成例は、管体部の側面において開口領域に臨む周辺領域が互いに非平行な面を含む点において上記各実施形態と共通する。
【００３６】
図８（ａ）に示す例において、音響構造体の管体部１０ａは、両端を閉塞端とする中空円筒状の管体である。そして、管体部１０ａの両端間の途中の位置において、管体部１０ａの側面における半円をなす程度の角度範囲の領域が削除され、開口領域Ｇａが形成されている。従って、図８（ａ）に示す態様において開口領域Ｇａに臨む管体部１０ａの側面は曲面をなしている。そして、管体部１０ａでは、開口領域Ｇａの両側の中空領域が各々共鳴器として機能する。この図８（ａ）に示す態様では、管体部１０ａの管軸に直交する平面内において約１８０度の角度範囲の方角から到来する音波が開口領域Ｇａを介して管体部１０ａ内に伝搬し得る。従って、吸音効果および散乱効果を発生させることができる音波の到来方向の角度範囲を従来よりも拡げることができる。
【００３７】
図８（ｂ）に示す例において、音響構造体の管体部１０ｂは、両端を閉塞端とする中空四角筒状の管体である。そして、管体部１０ｂの両端間の途中の位置において、管体部１０ａにおいて互いに直交して隣接する２つの側面に亙って一定幅（管軸方向の幅）の領域が削除され、開口領域Ｇｂが形成されている。従って、図８（ａ）に示す態様において開口領域Ｇｂに臨む管体部１０ｂの２つの側面は交差している。従って、吸音効果および散乱効果を発生させることができる音波の到来方向の角度範囲を従来よりも拡げることができる。
【００３８】
図８（ｃ）に示す例において、音響構造体の管体部１０ｃは、図８（ｂ）の管体部１０ｂと同様、両端を閉塞端とする四角筒状の管体である。そして、管体部１０ｃの両端間の途中の位置において、管体部１０ｃにおいて互いに直交して隣接する２つの側面に各々開口領域Ｇｃ１およびＧｃ２が形成されている。従って、図８（ｃ）に示す態様において開口領域Ｇｃ１およびＧｃ２は互いに異なる方向を向いている。従って、吸音効果および散乱効果を発生させることができる音波の到来方向の角度範囲を従来よりも拡げることができる。
【００３９】
この発明において、音響構造体は、各種の態様で居住空間内の各所に設置され得る。例えば１本の管状の音響構造体（例えば図２、図３参照）を居住空間内の各所に設置してもよく、管体部を平面状に配列した音響構造体（図４、図６、図７参照）を居住空間の壁際に設置し、あるいは居住空間を区切るパーティションとして設置してもよい。
【００４０】
上記各実施形態では、１対または複数対の管体により音響構造体を構成した。しかし、音響構造体を構成する音響共鳴器は必ずしも管体である必要はない。この発明による音響構造体は、管形状以外の形状の音響共鳴器により構成することも可能である。
【符号の説明】
【００４１】
１０，１０＿ｉ（ｉ＝１，２，…），１０ａ，１０ｂ，１０ｃ……管体部、１１，１１＿ｉ（ｉ＝１，２，…），１２，１２＿ｉ（ｉ＝１，２，…）……管体、Ｇ，Ｇ＿ｉ（ｉ＝１，２，…），Ｇａ，Ｇｂ，Ｇｃ１，Ｇｃ２……開口領域、１１ａ，１１ａ＿ｉ（ｉ＝１，２，…），１２ａ，１２ａ＿ｉ（ｉ＝１，２，…）……開口端、１１ｂ，１１ｂ＿ｉ（ｉ＝１，２，…），１２ｂ，１２ｂ＿ｉ（ｉ＝１，２，…）……閉塞端、１３ａ，１３ｂ，１３ｃ，１４ａ，１４ｂ，１５，１９ｂ……連結部材、１６……支持体、１７……ヒンジ、１８ａ……Ｕ字金具、１８ｂ，１８ｃ……フック、１８ｄ……カーテンレール、１９＿ｋ（ｋ＝１、２、…）……天秤部、１９ａ……丸金具。
【図１】
2015184524.tif 000003
【図２】
2015184524.tif 000004
【図３】
2015184524.tif 000005
【図４】
2015184524.tif 000006
【図５】
2015184524.tif 000007
【図６】
2015184524.tif 000008
【図７】
2015184524.tif 000009
【図８】
2015184524.tif 000010
【図９】
2015184524.tif 000011